(57)【要約】【課題】剛性を増すとともに、なべなどが載った際、冷却性能を確保し、機器の信頼性を向上すること。【解決手段】左右通気口カバー３１、３２に、平面部３３の端方より立ち上がる長手方向へ伸びた上向きの線状凸部３５を短手方向へ略等間隔に複数個形成し、線状凸部３５間の平面部３３に通気開口穴３６を形成したことで、剛性を増すことができるとともに、なべなどが載った際にも通気経路を確保し、冷却性能が確保され機器の信頼性を向上することとなる。【選択図】図２
2011096490.tif 000002
【特許請求の範囲】
【請求項１】
トッププレートと、前記トッププレートの下方に、調理容器を加熱する加熱手段と、前記加熱手段を制御する回路部と、前記回路部を操作する操作部とを有し、前記回路部などの電装品を冷却するための冷却空気を通気する通気口を前記トッププレートの後方部に形成し、前記通気口の上方を通気性のある通気口カバーで覆うものであって、前記通気口カバーは、平面部に、前記平面部の端方より立ち上がる長手方向へ伸びた上向きの線状凸部を短手方向へ略等間隔に複数個形成し、前記線状凸部間の前記平面部に通気開口穴を形成した誘導加熱調理器。
【請求項２】
線状凸部は、両端に向かって頂点部の高さが低くなるように形成した請求項１に記載の誘導加熱調理器。
【請求項３】
線状凸部において、部分的に前記線状凸部よりも高さが低い形状を設けた請求項１に記載の誘導加熱調理器。
【請求項４】
平面部端面に、線状凸部と反対方向にのびた側壁を設けた請求項１に記載の誘導加熱調理器。
【請求項５】
側壁は、両端に向かって前記側壁高さが高くなるように形成した請求項４に記載の誘導加熱調理器。
【請求項６】
トッププレートの下方に設けた被調理物を焼成するロースターと、前記トッププレート後方で、かつ、前記ロースター後方に配した排気煙突の上部に設けたロースター排気口とを備え、前記ロースター排気口の左右どちらか一方に電装品を冷却するための冷却空気を通気する排気口を設け、前記ロースター排気口に対して、前記排気口と反対側の通気口カバーの平面部端面に設けた側壁高さが他の側壁高さよりも高い構成とした請求項４に記載の誘導加熱調理器。
【請求項７】
通気口カバーには、ホーロー加工を施した請求項１に記載の誘導加熱調理器。
【発明の詳細な説明】
【技術分野】
【０００１】
本発明は、誘導加熱調理器に関するものである。
【背景技術】
【０００２】
従来のこの種の誘導加熱調理器は、本体の上部はトッププレートで覆われ、トッププレートには調理鍋載置部が設けられ、背面側には外部の空気を吸気する開口部である吸気口と、冷却後の空気を排気する開口部である排気口を備えており、前面側には操作部が備えられている。本体の内部には誘導加熱コイルと、この誘導加熱コイルを駆動する制御基板と、誘導加熱コイルと制御基板を冷却するための風路と、風路に冷却風を供給する冷却ファンを備えている。
【０００３】
また、吸気口と排気口を覆うように通気口カバーが設けられており、通気口カバーには、例えば、特許文献１に記載されているようなものがあった。
【０００４】
図１３、１４は特許文献１に記載された従来の通気口カバーを示すものである。
【０００５】
図１３、１４において、冷却空気は本体の背面側の吸気口１から通気口カバー２の開口を介して吸気され、冷却ファン３に供給され、冷却ファンによって制御基板４や誘導加熱コイル５を冷却する冷却空気となって流れ、制御基板４と誘導加熱コイル５を冷却した空気は、排気として本体の背面に位置する排気口６へ向かい、排気口６から通気口カバー２の開口を通過する排気となって流れ出ていく通気口に被せる通気口カバー２の開口穴７を六角形で蜂の巣状に並べて開口させたもので、冷却空気の流れる開口面積を増やすことを考慮している。
【先行技術文献】
【特許文献】
【０００６】
【特許文献１】特開２００７−２２０５６５号公報
【発明の概要】
【発明が解決しようとする課題】
【０００７】
しかしながら、前記従来の構成では、通気のため面積を増やすために通気口カバー２の開口穴７の面積を拡大するあまり、通気口カバー２のつなぎが減り、剛性が低下し、調理油やほこりが通気口カバー２に付着し、スポンジやたわしで清掃のため洗うときに、変形させてしまい、製品にきちんとセットできなくなったり、カタカタ音がなる原因になり、清掃性および使用性に課題を有していた。
【０００８】
また、なべや、ふきんなどを通気口カバー上に置かれた場合に、開口穴が平面上に形成されているため、通気口がふさがれ、通気ができなくなり、機器内の冷却能力が不足してしまい、機器が故障するという課題を有していた。
【０００９】
また、剛性を有するために、アルミダイカスト材にて、凸リブを設け、剛性とデザインの調和をとった従来の例もあるが、材料が高価で、型で成型するため厚みを薄くすることができず、凸リブも材料がつまった形状で、重量が重く、材料費もかかり、部品として高価なものになっていた。さらに、基材がアルミダイカストのため、表面処理は塗装となり、清掃のときに、たわしなどでごしごし洗うと塗装がはがれてしまうなど、高価で清掃耐力が弱いという課題を有していた。
【００１０】
また、剛性を有し、安価ものとするために、板金を短手方向に凹凸に折り返し、形成した通気口カバーもあるが、表裏がわかりづらく、また、鍋載り時、凹部が有効に通気されるのみであり、前記特許文献１の構成よりも鍋が置かれた場合の通気性能が向上しているものの、さらに冷却性能を損なうことがなく、機器の信頼性を向上するためには、鍋が置かれた場合に、もっと通気経路を確保できるものである必要があった。
【００１１】
本発明は、前記従来の課題を解決するもので、安価で、剛性を増すことができ、清掃性および使用性を向上することができるとともに、表裏がわかりやすく、鍋載り時の通気をさらに増し、冷却性能を向上することができる誘導加熱調理器を提供することを目的とする。
【課題を解決するための手段】
【００１２】
前記従来の課題を解決するために、本発明の誘導加熱調理器は、トッププレートの後方部に形成した通気口上方を通気性のある通気口カバーで覆うものであって、前記通気口カバーは板金をプレス加工により、平面部に、平面部の端方より立ち上がる長手方向へ伸びた上向きの線状凸部を短手方向へ略等間隔に複数個形成し、前記線状凸部間の平面部に通気開口穴を設けたものである。
【００１３】
これによって、長手方向に凸形状の桟がはしり剛性を従来よりも増すことができ、調理油やほこりが通気口カバーに付着し、清掃のため洗うときに、変形することがなく、清掃性および使用性を向上することができる。
【００１４】
また、通気カバー上に鍋を置かれても、線状凸部の頂上部に鍋がのり、平面部に設けた通気開口穴をふさぐことがない。また、線状凸部は平面部の端方より立ち上がる形状であるため、立ち上がる傾斜部も通気に使用でき、鍋載り時にも、通気面積を多く確保することができ、冷却性能を向上することができる。また、表裏の見分けが線状凸部によりつけやすく、本体へのセットを誤ることがない。さらに、清掃も長手方向へ伸びた上向きの線状凸部両端に、平面部の端方より立ち上がる傾斜部があることで拭きやすく清掃が容易である。そして、１枚の薄い板金で形成できるため、重量も軽く、材料も少なくてすみ、安価に作成することができる。
【発明の効果】
【００１５】
本発明は、前記従来の課題を解決するもので、通気口カバーの平面部に、平面部の端方より立ち上がる長手方向へ伸びた上向きの線状凸部を短手方向へ略等間隔に複数個形成し、前記線状凸部間の平面部に通気開口穴を設けることで、安価で、剛性を増すことができ、清掃性と使用性を向上することができ、また、鍋載り時の通気を増し、冷却性能を向上することができる誘導加熱調理器を提供することができる。
【図面の簡単な説明】
【００１６】
【図１】本発明の第１の実施の形態における誘導加熱調理器の全体構成概略図
【図２】本発明の第１の実施の形態における誘導加熱調理器の通気口カバーをはずした状態の右側拡大図
【図３】本発明の第１の実施の形態における誘導加熱調理器の通気口カバーをはずした状態の左側拡大図
【図４】本発明の第１の実施の形態における誘導加熱調理器の通気口カバーをセットした状態の矢視図
【図５】本発明の第１の実施の形態における誘導加熱調理器の通気口カバーの外面図
【図６】本発明の第１の実施の形態における誘導加熱調理器の通気口カバーになべを置いた際の通気を示す第一の横断面図
【図７】本発明の第１の実施の形態における誘導加熱調理器の通気口カバーになべを置いた際の通気を示す第二の横断面図
【図８】本発明の第１の実施の形態における誘導加熱調理器の通気口カバーの通気を示す縦断面図
【図９】本発明の第１の実施の形態における誘導加熱調理器のロースターの縦断面図
【図１０】左通気口カバーとロースター排気口近傍の横断面図
【図１１】本発明の第２の実施の形態における誘導加熱調理器の通気口カバーをセットした状態の矢視図
【図１２】本発明の第２の実施の形態における誘導加熱調理器の通気口カバーになべを置いた際の通気を示す横断面図
【図１３】従来の誘導加熱調理器の構成概略図
【図１４】従来の誘導加熱調理器の通気口カバーの部分拡大図
【発明を実施するための形態】
【００１７】
第１の発明は、トッププレートと、前記トッププレートの下方に、調理容器を加熱する加熱手段と、前記加熱手段を制御する回路部と、前記回路部を操作する操作部とを有し、前記回路部などの電装品を冷却するための冷却空気を通気する通気口を前記トッププレートの後方部に形成し、前記通気口の上方を通気性のある通気口カバーで覆うものであって、前記通気口カバーは、平面部に、平面部の端方より立ち上がる長手方向へ伸びた上向きの線状凸部を短手方向へ略等間隔に複数個形成し、前記線状凸部間の平面部に通気開口穴を形成したことにより、長手方向に凸形状の桟がはしり剛性を従来よりも増すことができ、調理油やほこりが通気口カバーに付着し、清掃のため洗うときに、変形することがなく、清掃性および使用性を向上することができる。また、清掃も長手方向へ伸びた上向きの線状凸部両端に、平面部の端方より立ち上がる傾斜部があることで拭きやすく清掃が容易である。また、通気カバー上に鍋を置かれても、線状凸部の頂上部に鍋がのり、平面部に設けた通気開口穴をふさぐことがない。また、線状凸部は平面部の端方より立ち上がる形状であるため、立ち上がる傾斜部も通気に使用でき、鍋載り時にも、通気面積を多く確保することができ、冷却性能を向上することができる。また、表裏の見分けが線状凸部によりつけやすく、本体へのセットを誤ることがない。また、誤って、加熱部の上部に通気口カバーをおいて加熱を開始してしまっても、線状凸部で平面部が持ち上がり、加熱部上との接触面がすくなく、適正な負荷として誘導加熱されることがないため、安全性を向上することができる。そして、１枚の薄い板金で形成しているため、重量も軽く、材料も少なくてすみ、安価に作成することができる。
【００１８】
第２の発明は、特に、第１の発明の通気口カバーの線状凸部は、両端に向かって頂点部の高さが低くなるように形成したことにより、鍋載り時に、鍋底面と線状凸部の接触部が点となり、さらに鍋と通気口カバーとの間に通気面積を多く確保することができ、冷却性能を向上することができる。
【００１９】
第３の発明は、特に、第１の発明の通気口カバーの線状凸部において、部分的に線状凸部よりも高さが低い形状を設けることにより、鍋載り時に、鍋底面と線状凸部の接触部が少なくなり、さらに鍋と通気口カバーとの間に通気面積を多く確保することができ、冷却性能を向上することができる。
【００２０】
第４の発明は、特に、第１の発明の平面部端面に、線状凸部と反対方向にのびた側壁を設けたことにより、箱形状が構成され、剛性を従来よりも増すことができ、調理油やほこりが通気口カバーに付着し、清掃のため洗うときに、変形することがなく、清掃性および使用性を向上することができる。また、誤って、加熱部の上部に通気口カバーをおいて加熱を開始してしまっても、側壁で平面部が持ち上げられており、加熱部上の接触面がすくなく、誘導加熱されることがないため、安全性を向上することができる。また、下方の通気口カバーの支持部材に角４箇所で側壁がセットされ、位置ずれしにくい。
【００２１】
第５の発明は、特に、第４の発明の側壁は、両端に向かって側壁高さが高くなるように形成したことにより、トップユニット上に設けられた支持部材で支持された通気口カバーとの間にも通気面積を多く確保することができ、冷却性能を向上することができる。
【００２２】
第６の発明は、特に、第４の発明のトッププレートの下方に設けた被調理物を焼成するロースターと、前記トッププレート後方で、かつ、前記ロースター後方に配した排気煙突の上部に設けたロースター排気口とを備え、前記ロースター排気口の左右どちらか一方に電装品を冷却するための冷却空気を通気する排気口を設け、前記ロースター排気口に対して、前記排気口と反対側の通気口カバーの平面部端面に設けた側壁高さが他の側壁高さよりも高い構成としたことにより、ロースターからの排煙が通気口カバー凸部裏を伝ってながれても、一方は通気口カバーの側壁によりふさがれており、煙が流れ伝いもれることを防ぎ、他方は冷却空気を通気する排気口の排気により、煙を吹き飛ばし、これにより、煙が通気口カバーの長手方向から伝い漏れることを防ぐことができる。また、吸気口へ、煙が吸い込まれることを低減できる。さらに、ロースター排気口からの熱気を吸気口へ吸い込むことを低減することができ、内部部品の冷却風の吸気温度上昇を抑制でき、冷却性能を向上することができる。
【００２３】
第７の発明は、特に、第１の発明の通気口カバーには、ホーロー加工を施すことにより、デザイン性にすぐれ、清掃しやすく、さびにくい通気口カバーとすることができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における誘導加熱調理器の全体構成概略図である。図２は、本発明の第１の実施の形態における誘導加熱調理器の通気口カバーをはずした状態の右側拡大図である。図３は、本発明の第１の実施の形態における誘導加熱調理器の通気口カバーをはずした状態の左側拡大図である。図４は、本発明の第１の実施の形態における誘導加熱調理器の通気口カバーをセットした状態の矢視図である。図５は、本発明の第１の実施の形態における誘導加熱調理器の通気口カバーの外面図である。図６は、本発明の第１の実施の形態における誘導加熱調理器の通気口カバーになべを置いた際の通気を示す第一の横断面図である。図７は、本発明の第１の実施の形態における誘導加熱調理器の通気口カバーになべを置いた際の通気を示す第二の横断面図である。図８は、本発明の第１の実施の形態における誘導加熱調理器の通気口カバーの通気を示す縦断面図である。図９は、本発明の第１の実施の形態における誘導加熱調理器のロースターの縦断面図である。図１０は、左通気口カバーとロースター排気口近傍の横断面図である。
【００２６】
図１、２、３、４、５、６、７、８、９、１０に示すように、本実施の形態は誘導加熱調理器をシステムキッチンのキャビネットに組み込んで使用した場合を示したものである。被加熱調理器具である鍋などを載置し、加熱するトッププレート１１の下には、左右手前に２口の誘導加熱コイル１２と中央奥に１口のラジェントヒータ１３とが加熱手段として設けられている。
【００２７】
また、使用者が誘導加熱装置と対向する前面には、その右側に操作部１４、左側にロースター１５が設けられ、ロースター１５の庫内には魚などの被調理物を加熱するロースターヒータ１６が設けられている。ロースター１５庫内で調理時に発生した煙は排気煙突１７より外部に排出される。
【００２８】
また、本体２０内のロースター１５の右側には、誘導加熱コイル１２と中央奥に１口の
ラジェントヒータ１３とを駆動制御する回路部２１が樹脂製の基板ベース２２に固定され、さらに、基板ベース２２は本体２０に固定されている。回路部２１の奥には、ファンケース２３を設け、ファンケース内にファン２４とファンを駆動するモータ２５を配している。
【００２９】
トッププレート１１の右後方には吸気口２６、左後方に排気口２７、吸気口２６と排気口２７との間の製品略中央より左にロースターの排気煙突１７上部にロースター排気口２８を配したトッププレート１１を保持するフレーム２９を設けている。
【００３０】
さらに、フレーム２９には、吸気口２６とロースター排気口２７の間でロースター排気口２７の右側と、吸気口２６の左右および排気口２７の左側に通気口カバー支持部材３０を配している。通気口カバー支持部材３０はゴム弾性を有するエラストマで形成している。
【００３１】
そして、排気口２７およびロースター排気口２８上で製品略中央から左端まで覆う左通気口カバー３１と吸気口２６上で製品略中央から右端まで覆う右通気口カバー３２を設け、左右通気口カバー３１、３２は前記通気口カバー支持部材３０により支持されている。
【００３２】
ここで、左右通気口カバー３１、３２は、平面部３３に、平面部の端方より立ち上がる傾斜３４をもち、長手方向へ伸びた上向きの線状凸部３５を、短手方向へ略等間隔に複数個形成しており、さらに線状凸部３５間の平面部に通気開口穴３６を設けたもので、前記線状凸部は、両端に向かって頂点部の高さが低くなるように形成した略円弧形状３７としている。そして平面部端面に、線状凸部と反対方向にのびた、平面部端面全周囲に設けられた側壁３９を設け、さらに前記側壁３９は、両端に向かって側壁高さが高くなるように形成したアーチ形状４０を設け、そしてさらに、ロースター排気口に対して、排気口と反対側の通気口カバーの平面部端面には、設けた側壁高さが他の側壁高さよりも高い防壁４１を構成している。左右通気口カバー３１、３２は、同じ形状で、防壁４１の方を製品中央側にして、左右製品中央に対して１８０度反転した状態で製品にとりつける。
【００３３】
ここで、左右通気口カバー３１、３２は、ホーロー用鋼板である厚み０．６ｍｍの板金で形成しており、プレス加工のあと、ホーロー加工を施したものである。
【００３４】
そして、通気口カバー支持部材３０は略円筒形の形状をしており、通気口カバーの平面部端面に設けた側壁の四隅に当たる位置に配置され、通気口カバーをセットする際、この四隅の通気口カバー支持部材３０の略円筒形が、通気口カバーの平面部端面に設けた側壁に内接するようにセットされ、通気口カバーの位置が決まるようになっている。また、通気口カバー支持部材３０はゴム弾性を有するエラストマで形成されており、通気口カバーとフレーム２９が直接接することがなく、通気口カバーとフレーム２９の金属こすれ音が発生することを防ぎ、ファンの振動などフレーム２９へ伝わった本体振動が通気口カバーに伝わることを低減している。
【００３５】
以上のように構成された組み込み式加熱調理器について、以下その動作、作用を説明する。
【００３６】
まず、風の流れについて説明する。
【００３７】
まず、右通気口カバー３１の線状凸部３５間の平面部に設けた通気開口穴３６および、平面部端面に、線状凸部と反対方向にのびた、平面部端面に設けられた両端に向かって側壁高さが高くなるように形成した側壁のアーチ形状４０を通って外気を吸い込み、トッププレート１１の右後方に設けられた吸気口２６より取入れられる。取入れられた外気はフ
ァンケース２３の通気経路を通り、ファンモータ２５で駆動されるファン２４に吸い込まれた後、風の向きを本体２０外郭の中心側に向けて吐出される。吐出された風の一部は発熱部品を有し、冷却が必要な回路部２１に向けて吹き付けられ、インバータ回路を冷却し、他の一部は発熱部である左の誘導加熱コイル１２および左にあるロースター１５の外郭を冷却し、その後トッププレート１１の左後方に設けられたフレーム２９の排気口２７をとおり、左通気口カバー３２の線状凸部３５間の平面部に設けた通気開口穴３６および、平面部端面に、線状凸部と反対方向にのびた、平面部端面に設けられた両端に向かって側壁高さが高くなるように形成した側壁のアーチ形状４０より外に排出される。
【００３８】
ここで、なべなどを左通気口カバー３１あるいは右通気口カバー３２上に置かれた場合、図６に示すように通気口カバーの線状凸部３５がなべなどを支え、線状凸部３５間の平面部に設けた通気開口穴がふさがれることを防ぎ、平面部の端方より立ち上がる傾斜３４がより通気面積を広げ、通気経路を確保することができる。そして、線状凸部が両端に向かって頂点部の高さが低くなるように形成した略円弧形状３７であるため、図７に示すように、なべなどが置かれても、なべと通気口カバーが接するところは、頂点部と他の２点になり、略円弧形状３７となべの間にさらに大きな隙間ができ、通気面積を拡大することができ、なべなどでふさがれる通気経路を大幅に防ぐことができる。また、万一ふきんなどのやわらかいもので線状凸部３５間の平面部に通気開口穴３６がふさがれても、平面部端面に、線状凸部と反対方向にのびた、平面部端面に設けられた両端に向かって側壁高さが高くなるように形成した側壁のアーチ形状４０より外気を通気することができる。また、通気口カバーは略円筒形の通気口カバー支持部材３０により支持されており、フレーム２９と通気口カバー３１、３２間にも通気経路が形成され通気する空間ができ、さらに通気を増すことができる。
【００３９】
また、長手方向に線状凸部の桟がはしり、特に長手方向の剛性を増すことができる。また、通気口カバーの平面部端面に、線状凸部と反対方向にのびた、平面部端面に設けた側壁により、箱型の剛性形状となり、さらに剛性を増すことができる。これにより調理油やほこりが通気口カバーに付着し、清掃のため洗うときに、スポンジやたわしでゴシゴシ力を加えて洗っても、左右通気口カバーが変形することがない。
【００４０】
また、ホーロー加工をおこなっているため、表面に光沢があり、美しい外観とできるとともに、たわしなどでごしごし洗うことができ、基材の板金がホーローで覆われているため容易に錆ることがない。また、平面部の端方より立ち上がる傾斜３４をもち、長手方向へ伸びた上向きの線状凸部３５形成したことにより、傾斜３４がスポンジがひっかかりをふせぎ、洗いやすい。また、線状凸部が両端に向かって頂点部の高さが低くなるように形成した略円弧形状３７であるため、より線状凸部全体がスポンジでふきやすく、線状凸部間の平面部にもスポンジがとどきやすく、ふきやすくなる。
【００４１】
またさらに、基材を薄い板金で形成しているため、重量も軽く、材料も少なくてすみ、安価に作成することができる。
【００４２】
そして、左及び右通気口カバー３１、３２は、線状凸部を形成しているため、誤って、加熱部の上部に通気口カバーをおいて加熱を開始してしまっても、加熱部上との接触面がすくなく、適正な負荷として誘導加熱されにくい。さらに、線状凸部が両端に向かって頂点部の高さが低くなるように形成した略円弧形状３７であるため、誤って、加熱部の上部に通気口カバーをおいて加熱を開始してしまっても、加熱部上との接触面がよりすくなく、適正な負荷として誘導加熱されにくい。また、通気口カバーの平面部端面に、線状凸部と反対方向にのびた、平面部端面に設けた側壁により、誤って、加熱部の上部に通気口カバーをおいて加熱を開始してしまっても、加熱部上との接触面が側壁の端面しかなく、適正な負荷として誘導加熱されにくい。さらに両端に向かって側壁高さが高くなるように形
成した側壁のアーチ形状４０により、誤って、加熱部の上部に通気口カバーをおいて加熱を開始してしまっても、加熱部上との接地面が側壁の両端しかなく、適正な負荷として誘導加熱されにくい。
【００４３】
また、四隅の通気口カバー支持部材３０の略円筒形が、通気口カバーの平面部端面に設けた側壁に内接するようにセットされ、通気口カバーの位置が決まるようになっているため、通気口カバーを裏向きにセットしたときに通気口カバーが通気口カバー支持部材３０に乗り上げ、側壁のようなセット部がないため通気口カバー支持部材３０からずれやすく、表裏のセット間違いを使用者に認識させることができる。
【００４４】
また、通気口カバーの平面部端面に、線状凸部と反対方向にのびた、平面部端面に設けた側壁により、側壁端面が上になり、裏を認識させることができる。
【００４５】
また、ロースター１５からの排煙が通気口カバー凸部裏を伝ってながれても、ロースター排気口に対して、排気口と反対側の通気口カバーの平面部端面には、設けた側壁高さが他の側壁高さよりも高い防壁４１により、一方は通気口カバーの防壁４１によりふさがれており、煙が流れ伝いもれることを防ぎ、他方は冷却空気を通気する排気口の排気により、煙を吹き飛ばし、これにより、煙が通気口カバーの長手方向から伝い漏れることを防ぐことができる。また、吸気口へ、煙が吸い込まれることを低減できる。さらに、ロースター排気口からの熱気を防壁４１により吸気口へ吸い込むことを低減することができ、内部部品の冷却風の吸気温度上昇を抑制でき、冷却性能を向上することができる。
【００４６】
以上のように本実施の形態においては、通気口カバーの線状凸部がなべなどを支え、線状凸部３５間の平面部に設けた通気開口穴がふさがれることを防ぐ。そして、線状凸部が両端に向かって頂点部の高さが低くなるように形成した略円弧形状３７であるため、なべなどが置かれても、なべと通気口カバーが接するところは、頂点部と他の２点になり、略円弧形状３７となべの間にさらに大きな隙間ができ、通気面積を拡大することができ、なべなどでふさがれる通気経路を大幅に防ぐことができる。また、万一ふきんなどのやわらかいもので線状凸部３５間の平面部に通気開口穴３６がふさがれても、平面部端面に、線状凸部と反対方向にのびた、平面部端面に設けられた両端に向かって側壁高さが高くなるように形成した側壁のアーチ形状４０より外気を通気することができる。また、通気口カバーは略円筒形の通気口カバー支持部材３０により支持されており、フレーム２９と通気口カバー３１、３２間にも通気経路が形成され通気する空間ができ、さらに通気を増すことができる。このように、なべやふきんが載った場合でも通気経路を確保するとともに、ふさがれた際の通気面積を増すことができることで製品の冷却性能を確保することができ、機器の信頼性を向上することができる。また、左及び右通気口カバー３１、３２は、線状凸部を形成しているため、誤って、加熱部の上部に通気口カバーをおいて加熱を開始してしまっても、加熱部上との接触面がすくなく、適正な負荷として誘導加熱されにくい。さらに、線状凸部が両端に向かって頂点部の高さが低くなるように形成した略円弧形状３７であるため、誤って、加熱部の上部に通気口カバーをおいて加熱を開始してしまっても、加熱部上との接触面がよりすくなく、適正な負荷として誘導加熱されにくい。また、通気口カバーの平面部端面に、線状凸部と反対方向にのびた、平面部端面に設けた側壁により、誤って、加熱部の上部に通気口カバーをおいて加熱を開始してしまっても、加熱部上との接触面が側壁の端面しかなく、適正な負荷として誘導加熱されにくい。さらに両端に向かって側壁高さが高くなるように形成した側壁のアーチ形状４０により、誤って、加熱部の上部に通気口カバーをおいて加熱を開始してしまっても、加熱部上との接触面が側壁の両端しかなく、誘導加熱されにくい。このように、誤って、加熱部の上部に通気口カバーをおいて加熱を開始してしまっても、加熱部上との接触面がすくなく、適正な負荷として誘導加熱されることがないため、安全性を向上することができる。また、長手方向に線状凸部の桟がはしり、特に長手方向の剛性を増すことができる。また、通気口カバーの平
面部端面に、線状凸部と反対方向にのびた、平面部端面に設けた側壁により、箱型の剛性形状となり、さらに剛性を増すことができる。これにより調理油やほこりが通気口カバーに付着し、清掃のため洗うときに、スポンジやたわしでゴシゴシ力を加えて洗っても、左右通気口カバーが変形することがない。このように、剛性を増すことができ、使用性および清掃耐力を向上することができる。またさらに、薄い板金で形成しているため、重量も軽く、材料も少なくてすみ、安価に作成することができる。また、ホーロー加工をおこなっているため、表面に光沢があり、美しい外観とでき、デザイン性を向上することができるとともに、たわしなどでごしごし洗うことができるとともに、容易に錆ることがなく、清掃性・耐久性を向上することができる。またさらに、四隅の通気口カバー支持部材３０の略円筒形が、通気口カバーの平面部端面に設けた側壁に内接するようにセットされ、通気口カバーの位置が決まるようになっているため、通気口カバーを裏向きにセットしたときに通気口カバーが通気口カバー支持部材３０に乗り上げ、側壁のようなセット部がないため通気口カバー支持部材３０からずれやすく、表裏のセット間違いを使用者に認識させることができる。また、通気口カバーの平面部端面に、線状凸部と反対方向にのびた、平面部端面に設けた側壁により、側壁端面が上になり、裏を認識させることができる。このように裏を認識させやすくでき、使用性を向上することができる。またさらに、通気口カバー凸部裏の一部に通気口カバー支持部材３１の凸リブ３９が挿入されているため、通気口カバーを裏向きにセットしたときに通気口カバー支持部材３１の凸リブ３９に乗り上げ、表裏のセット間違いを認識でき、使用性を向上することができる。また、ロースター１５からの排煙が通気口カバー凸部裏を伝ってながれても、ロースター排気口に対して、排気口と反対側の通気口カバーの平面部端面には、設けた側壁高さが他の側壁高さよりも高い防壁４１により、一方は通気口カバーの防壁４１によりふさがれており、煙が流れ伝いもれることを防ぎ、他方は冷却空気を通気する排気口の排気により、煙を吹き飛ばし、これにより、煙が通気口カバーの長手方向から伝い漏れることを防ぐことができ、また、吸気口へ、煙が吸い込まれることを低減できることで使用性を向上することができる。さらに、ロースター排気口からの熱気を防壁４１により吸気口へ吸い込むことを低減することができ、内部部品の冷却風の吸気温度上昇を抑制し、冷却性能を向上することができ、機器の信頼性を向上することができる。
【００４７】
（実施の形態２）
図１１は、本発明の第２の実施の形態における誘導加熱調理器の通気口カバーをセットした状態の矢視図である。図１２は、本発明の第２の実施の形態における誘導加熱調理器の通気口カバーになべを置いた際の通気を示す横断面図である。
【００４８】
実施の形態１と異なる点は、実施の形態１の通気口カバーの線状凸部に、部分的に線状凸部よりも高さが低い形状である凹形状３８を設けた点である。
【００４９】
以上のように構成された組み込み式加熱調理器について、以下その動作、作用を説明する。
【００５０】
まず、前記線状凸部に、部分的に線状凸部よりも高さが低い形状である凹形状３８を設けているため、通気口カバーの線状凸部がなべなどを支え、凹形状３８から線状凸部３５間の平面部に設けた通気開口穴への通気経路がふさがれることを防ぐことができる。またさらに前記線状凸部に、部分的に線状凸部よりも高さが低い形状である凹形状３８を設けているため、誤って、加熱部の上部に通気口カバーをおいて加熱してしまっても、加熱部上の接地面がさらにすくなく、誘導加熱されにくい。
【００５１】
以上のように本実施の形態においては、前記線状凸部に、部分的に線状凸部よりも高さが低い形状である凹形状３８を設けているため、通気口カバーの線状凸部がなべなどを支え、凹形状３８から線状凸部３５間の平面部に設けた通気開口穴への通気経路がふさがれ
ることを防ぐことができることで製品の冷却性能を確保することができ、機器の信頼性を向上することができる。またさらに前記線状凸部に、部分的に線状凸部よりも高さが低い形状である凹形状３８を設けているため、誤って、加熱部の上部に上面を下にして通気口カバーをおいて加熱を開始してしまっても、加熱部上の接地面がさらにすくなく、適正な負荷として誘導加熱されにくいため、安全性を向上することができる。
【産業上の利用可能性】
【００５２】
以上のように、本発明にかかる誘導加熱調理器は、通気口カバーの平面部に、平面部の端方より立ち上がる長手方向へ伸びた上向きの線状凸部を短手方向へ略等間隔に複数個形成し、前記線状凸部間の平面部に通気開口穴を形成することで、安価で、剛性を増すことができ、冷却性能と使用性および清掃性を向上することができるため、冷却風の通気を行う据え置き型などの加熱調理器などの用途にも適用できる。
【符号の説明】
【００５３】
１１  トッププレート
１２  誘導加熱コイル
１３  ラジェントヒータ
１４  操作部
１５  ロースター
１６  ロースターヒータ
１７  排気煙突
２０  本体
２１  回路部
２２  基板ベース
２３  ファンケース
２４  ファン
２５  モータ
２６  吸気口
２７  排気口
２８  ロースター排気口
２９  フレーム
３０  通気口カバー支持部材
３１  左通気口カバー
３２  右通気口カバー
３３  平面部
３４  傾斜
３５  線状凸部
３６  通気開口穴
３７  略円弧形状
３８  凹形状
３９  側壁
４０  アーチ形状
４１  防壁
【図１】
2011096490.tif 000003
【図２】
2011096490.tif 000004
【図３】
2011096490.tif 000005
【図４】
2011096490.tif 000006
【図５】
2011096490.tif 000007
【図６】
2011096490.tif 000008
【図７】
2011096490.tif 000009
【図８】
2011096490.tif 000010
【図９】
2011096490.tif 000011
【図１０】
2011096490.tif 000012
【図１１】
2011096490.tif 000013
【図１２】
2011096490.tif 000014
【図１３】
2011096490.tif 000015
【図１４】
2011096490.tif 000016